(57)【要約】      （修正有）【課題】草刈り機、チェーンソー、振動ドリル、地ならし機や削岩機など手持ちの振動機器・工具の操作時に生ずる振動を手及び身体に伝え難くした手袋を提供する。【解決手段】水、油のような液体又はゼリー状の物質を収容した液体袋３を、手袋本体４の手のひら側に配置したことを特徴とし、手持ちの振動機器・工具のハンドルを握って操作するときに、該ハンドルに生ずる振動を手及び身体に伝えることを可及的に遮蔽させることができる。したがって、これら手持ちの振動機器・工具を使用する作業時間を特に短くすることなく、血管運動神経のはたらきを狂わせることによる血流障害（たとえば、白蝋病）や振動障害（頭重、睡眠障害など）等の職業病を、未然に防止することができるばかりでなく、振動が人体に与える精神的ストレスも軽減されるし、嫌仕事性からも開放されるように構成した。【選択図】図１
2014105399.tif 000002
【特許請求の範囲】
【請求項１】
水、油のような液体又はゼリー状の物質を収容した袋体を、手袋本体の手のひら側に配置したことを特徴とする手袋。
【請求項２】
前記袋体が、薄膜素材からなることを特徴とする請求項１に記載の手袋。
【請求項３】
前記袋体が、手袋本体の親指、人差指、中指、薬指，小指、指球及び親指球を個々に覆う分割袋からなることを特徴とする請求項１又は２に記載の手袋。
【請求項４】
前記袋体が、手袋本体の指部、中手部の指側、中手部の手首側の三域を覆う分割袋であり、中手部の手首側の袋は親指を覆う袋と連携していることを特徴とする請求項１〜３のうちの１に記載の手袋。
【請求項５】
前記袋体が、手袋本体の指部を含め全体的に覆う袋であることを特徴とする請求項１〜３のうちの１に記載の手袋。
【請求項６】
前記配置が、接着剤接着又はベルベット式ファスナー接着であることを特徴とする請求項１〜５のうちの１に記載の手袋。
【発明の詳細な説明】
【技術分野】
【０００１】
本発明は、草刈り機、チェーンソー、振動ドリル、地ならし機、削岩機、サンダーなど手持ちの振動機器・工具に生ずる振動を手及び身体に伝え難くした手袋に関するものである。
【背景技術】
【０００２】
一般に、農業、林業、園芸業、建築業、土木業などにおいて使用できる草刈り機やチェーンソーや振動ドリルや地ならし機や削岩機やサンダーなど手持ちの振動機器・工具を作業者が操作する場合に、その作業者の手及び身体に大きな振動が継続的に伝えられるため、血管運動神経のはたらきが狂い、血流障害が起こって手指の皮膚の色が白くなるいわゆるレイノー現象を生じさせる（白蝋病とも呼ばれる）。また、振動障害には、頭重、睡眠障害、精神的ないらいらなど複雑な症状を訴える人もある。さらに、振動が人体に与える精神的ストレスがあり、これが嫌仕事性を助長していた。
【０００３】
このような血流障害や振動障害を防ぐためには、手持ちの振動機器・工具を操作する作業時間をできるだけ短くすることに努めることはたいへん重要であるが、手袋（軍手や革手袋など）を着用することも有効である。特に、特開２００４−２３８７６５号公報に示される方法により製造された手袋、すなわち、水の存在により気体を発生する発泡剤を高分子化合物エマルジョンに配合し、該エマルジョンを予め発泡させてから手袋の手のひら側に不連続に塗布し、乾燥させる方法で手のひら側に防振突起を形成させた手袋の着用である。これにより、発泡体である手のひら側の防振突起が、手持ちの振動機器・工具を操作する作業者に伝わる振動を減衰させるからである。
【特許文献１】特開２００４−２３８７６５号公報
【発明の開示】
【発明が解決しようとする課題】
【０００４】
しかしながら、上記軍手や革手袋などの手袋の着用は手に伝わる振動は多少減衰できても充分でなく、また、上記特許文献１により製造された手袋は、手のひら側に設けられている防振突起は物質であり、振動波は減衰できて、伝わってしまい、振動波を遮蔽する能力に欠け、操作する作業者の手及び身体に微細振動が継続的に伝えられてしまうという問題が残った。
【０００５】
本発明は、上記問題を解消するためのもので、「液体の、ある種（たとえば衝撃波など）の波動を伝えない」という物性を利用して創作したもので、その目的とするところは、草刈り機、チェーンソー、振動ドリル、地ならし機、削岩機、サンダーなど手持ちの振動機器・工具の操作時に生ずる振動（衝撃波など）を遮蔽し、手及び身体に伝えないようにした手袋を提供することにある。
【０００６】
上記目的を達成するため、本発明に係る手袋は、水、油のような液体又はゼリー状の物質を収容した袋体を、手袋本体の手のひら側に配置したことを特徴とし、液体又はゼリー状物質を介して手持ちの振動機器・工具のハンドルからの振動（波動）を遮蔽し、手及び身体に伝えないように構成した。
【０００７】
また、請求項２に記載の手袋は、前記袋体が、薄膜素材からなることを特徴とし、ゴム膜、プラスチック膜又はゴムとプラスチックとの混合膜のような手持ちの振動機器・工具のハンドルを握るときに手やハンドルに馴染むように構成した。
【０００８】
さらに、請求項３に記載の手袋は、前記袋体が、手袋本体の親指、人差指、中指、薬指，小指、指球及び親指球を個々に覆う分割袋からなることを特徴とし、手持ちの振動機器・工具のハンドルを握り易くするとともに、操作時の振動遮蔽性をより高めるように構成した。
【０００９】
さらにまた、請求項４に記載の手袋は、前記袋体が、手袋本体の指部、中手部の指側、中手部の手首側の三域を覆う分割袋であり、中手部の手首側の袋は親指を覆う袋と連携していることを特徴とし、手持ちの振動機器・工具のハンドルの握り性は多少犠牲にするとしてもハンドルから伝わる振動遮蔽性をより高め得るように構成した。
【００１０】
さらにまた、請求項５に記載の手袋は、前記袋体が、手袋本体の指部を含め全体的に覆う袋であることを特徴とし、手持ちの振動機器・工具のハンドルを握るときに指の操作性は制限されるが、ハンドルから伝わる振動遮蔽性は至極高くなるように構成した。
【００１１】
さらにまた、請求項６に記載の手袋は、前記配置が、接着剤接着又はベルベット式ファスナー接着であることを特徴とし、接着剤接着により固定式にすることも、ベルベット式ファスナーを用いた着脱式にすることも自由にできるように構成した。
【発明の効果】
【００１２】
本発明に係る手袋は、草刈り機、チェーンソー、振動ドリル、地ならし機、削岩機、サンダーなど手持ちの振動機器・工具のハンドルを握って操作するときに、該ハンドルに生ずる振動を手及び身体に伝えない。したがって、これら手持ちの振動機器・工具を使用する作業時間を特に短くすることなく、血管運動神経のはたらきを狂わせることによる血流障害（たとえば、白蝋病）や振動障害（頭重、睡眠障害など）等の職業病を、未然に防止することができるばかりでなく、振動が人体に与える精神的ストレスも軽減されるし、嫌仕事性からも開放されるという各種の優れた効果を奏するものである。
【発明を実施するための最良の形態】
【００１３】
次に、本発明の実施の態様を添付図面に基づいて説明する。図１は分割した袋体を手袋本体の手のひら側に配置した状態の平面図、図２は手袋本体に袋体を接着剤接着により配置した状態を示す略示的断面図、図３は一個の袋体を配置した手袋本体の手のひら側に配置した状態の平面図、図４は手袋本体の指部、中手部の指側、中手部の手首側の三域を覆うように分割した袋体を配置した状態の平面図、図５は手袋本体と袋体とをベルベット式ファスナーにより着脱式にした場合の断面図、図６は袋体内に液体を注入するポンプの一例を示す斜視図、図７は液体を注入するノズル内に設置するバルブを示す斜視図である。
【００１４】
図１において、本願手袋１は、水や油のような液体２を収容した袋体３を、手袋本体４の手のひら側に配置してなる。手袋本体４が二重になっている場合には、その両手袋間に配置することも含むものである。手のひら側に液体２を配置することは「液体にはある種の波動」を手及び身体に伝えないという物性があることを利用している。水も油も液体である点では同じ効果を備えている。
【００１５】
前記手袋本体４の手のひら側に配置したのは、草刈り機、チェーンソー、振動ドリル、地ならし機、削岩機、サンダーなど手持ちの振動機器・工具のハンドル（図示せず）を握る手に振動波を伝えないためである。なお、「液体」は体積があっても形がなく、袋や箱へ収容して初めて袋や箱の形になるものである。もちろん、グリースやクリームのような「ゼリー状の物質」も同じ効果を得られるものと言える。
【００１６】
前記袋体３は、ゴム膜、プラスチック膜又はゴムとプラスチックとの混合膜からなる薄膜素材により形成されている。尤も、ゴム膜又はプラスチック膜で、伸縮性が高いものでは、内部に収容した液体の移動があり過ぎてしまうことにより変形し易くなり、使用できない。もちろん、ゴム膜又はプラスチック膜で伸縮性はあっても、内部に液体の移動を制限するような、節やリブを設ければよい。また、ボタン状の突起にする場合は使用可能である。
【００１７】
前記袋体３は、手袋本体４の親指４ａ、人差指４ｂ、中指４ｃ、薬指４ｄ、小指４ｅ、指球部４ｆ、親指球部４ｇを個々に覆う分割袋として構成し、図１の如く、配置することができる。この場合には、図２の如く、接着剤Ｓにより接着しても、図５の如く、ベルベット式ファスナー接着でもよい。前記分割袋のうち、親指４ａ、人差指４ｂ、中指４ｃ、薬指４ｄ、小指４ｅは、図２の如く、一部分に折節３ａを溶接により設けて折り曲げ易くしてもよい。もちろん、折節３ａの一部（折曲に支障ない個所）に液体の流通路３ａ′を残しておくことが望ましい。
【００１８】
また、前記袋体３は、前記手袋本体４の指部を含む手のひらを全体的に覆う一個物袋として、図３の如く、配置してもよい。この場合において、袋体３は、図５の如く、中手部の手首に近い適所にベルベット式ファスナー接着Ｓ１し、指先側をフリーになるようにすると、振動機器・工具のハンドルを握るときに握り易くなる。
【００１９】
また、前記袋体３は、前記手袋本体４の指部と中手部の指側と中手部の手首側の三域を覆う袋３Ａ、３Ｂ、３Ｃとして構成し、図４の如く、配置してもよい。この場合において、各袋体３Ａ〜３Ｃのうち、中手部の手首側の袋体３Ｃは親指を覆う袋３Ｄと折節３ａを介して連携している。
【００２０】
前記袋体（分割物及び一個物）３はそれぞれ最初から適量の液体を注入してから、手袋本体４に接着してもよいが、手袋本体４に接着した後、あとから、それぞれに液体の適量を注入するようにもできる。この後者の場合には、図１の如く、ノズル５を設け、該ノズル５には、たとえば、図６の如く、液体を吸入押出しできる注射器のような手動器具６を用い、該手動器具６の筒体６ａ内の液体を吸入してから先端管６ｂを前記ノズル５に接続し、ピストン６ｃを押圧して液体を注入する。
【００２１】
前記ノズル５内には、たとえば、図７の如き、バルブ７が設けられている。該バルブ７は、その開口部７ａを前記ノズル６の入口側に向けて取り付け、奥側の閉塞端部７ｂにスリット８を設けているものである。しかして、前記手動器具６の筒６ａ内に収容した液体をピストン６ｃで押出して前記ノズル５を通して注入するときは、図７の矢印Ａの如く液体はバルブ７のスリット８を通過し、一端通過した液体は、矢印Ｂ方向にはスリット８を通過できずに遮断される。
【００２２】
前記袋体３は、図示していないが、靴の中敷きとして形成し、たとえば、いつもエンジンが微振動として足元を通じて身体に伝わっている漁船その他の小型船舶の乗組員が使用する靴（たとえばゴム長靴）などの履物に用いると、微振動を身体に伝えないという効果が得られる。また、自動車内の人体の一部（足や尻や腰や背中）が接する床やシートの接触面に応用することも可能である。
【００２３】
次に、本願手袋１の作用について説明する。まず、０．２ｍｍ厚の塩化ビニルシートを用意し、これをカットし、３方をシーラー（（株）ハッコー製）により接着し、１０×４ｃｍの袋体３Ａと、８×２．５ｃｍの袋体３Ｂと、７×４．５ｃｍの袋体３Ｃを作る。この袋体３Ｃは折節３ａを介して親指を覆う袋３Ｄが連携している。各袋体３Ａ、３Ｂ、３Ｃには開放されている口から水を適量注入して前記シーラーによりシールして閉じ込めた後、図３と同様に、袋体３Ａを手袋本体４の指部に、袋体３Ｂを手袋本体４の中手部の指側に、袋体３Ｃを手袋本体４の中手部の手首側に、袋３Ｄを手袋本体４の親指に、ベルベット式ファスナーを介して接着したものを３双作る。
【００２４】
次いで、上記３双の手袋本体４をはめた大人３人と、軍手をはめた大人３人の計６人にサンダーのハンドルを把持させ３０分間、鉄板の研磨作業をして貰い、軍手グループと本願手袋グループの各人に作業後の印象を聴いた処、次の（１）、（２）の結果が得られ、軍手に比して本願手袋の効用、すなわち、血流障害や振動障害等を、未然に防止できることを強く感じた。
【００２５】
（１）軍手グループでは作業中、作業直後では全員が腕に「しびれ」を感じた。１０分後では２人に「しびれ感」が残ったが、１人はサンダー作業の経験者であり、「しびれ感」は残らなかった。２４時間後は、全員「しびれ感」はなかったが、サンダー作業の経験者以外は振動を受けた印象だけが残った。
【００２６】
（２）本願手袋グループでは作業中も作業直後も腕に「しびれ感」を全く与えなかった。
【産業上の利用可能性】
【００２７】
本願手袋は、草刈り機、チェーンソー、振動ドリル、地ならし機、削岩機、サンダーなど手持ちの振動機器・工具に生ずる振動を手及び身体に伝え難くしたもので、農業、林業、園芸業、建築業、土木業などに広く利用可能性が高いものである。
【図面の簡単な説明】
【００２８】
【図１】分割した袋体を手袋本体の手のひら側に配置した状態の平面図である。
【図２】手袋本体に袋体を接着剤接着により配置した状態を示す略示的断面図である。
【図３】一個の袋体を配置した手袋本体の手のひら側に配置した状態の平面図である。
【図４】手袋本体の指部、中手部の指側、中手部の手首側の三域を覆うように分割した袋体を配置した状態の平面図である。
【図５】手袋本体と袋体とをベルベット式ファスナーにより着脱式にした場合の断面図である。
【図６】袋体内に液体を注入するポンプの一例を示す斜視図である。
【図７】液体を注入するノズル内に設置するバルブを示す斜視図である。
【符号の説明】
【００２９】
１  本願手袋
２  液体
３  液体袋
３ａ  折節
３ａ′  液体の流通個所
３Ａ、３Ｂ、３Ｃ  三域を覆う袋
４  手袋本体
４ａ  親指
４ｂ  人差指
４ｃ  中指
４ｄ  薬指
４ｅ  小指
４ｆ  指球部
４ｇ  親指球部
５  ノズル
６  手動機器
６ａ  筒
６ｂ  先端管
６ｃ  ピストン
７  バルブ
７ａ  開口部
７ｂ  端部
８  スリット
Ｓ  接着剤接着
Ｓ′  ベルベット式ファスナー接着
【図１】
2014105399.tif 000003
【図２】
2014105399.tif 000004
【図３】
2014105399.tif 000005
【図４】
2014105399.tif 000006
【図５】
2014105399.tif 000007
【図６】
2014105399.tif 000008
【図７】
2014105399.tif 000009